(57)【要約】【課題】床面や地面の起伏或いは傾斜などに関係なく、且つこれらの影響が少なくなるようにして、安全な作業を行わしめるための自在脚立の提供。【解決手段】対向した一対の縦向き側辺部材と、これら側辺部材の上端部間を結合した上辺部材とを備えた平面状の脚体を２つ作成し、これら脚体を左右向き面に沿わせて前後方向で対向させた脚立に於いて、各脚体の上辺部材を細長の直方体に形成し、且つ各直方体の中央部に透孔を穿設すると共に、該透孔の片側からボルトを挿通させ、これを他側から少しゆとり状態にナットで止着し、各直方体が左右向き線回り及び前後向き線回りの揺動可能状態になさしめるほか、直方体の上記揺動作動に於ける重なり合い状態の少なくとも片端縁部で止着手段を設けて固定させる。【選択図】      図４
2004211364.tif 000002
【特許請求の範囲】
【請求項１】
対向した一対の縦向き側辺部材と、これら側辺部材の上端部間を結合した上辺部材とを備えた平面状の脚体を２つ作成し、これら脚体を左右向き面に沿わせて前後方向で対向させた脚立に於いて、各脚体の上辺部材を細長の直方体に形成し、且つ各直方体の中央部に透孔を穿設すると共に、該透孔の片側からボルトを挿通させ、これを他側から少しゆとり状態にナットで止着し、各直方体が左右向き線回り及び前後向き線回りの揺動可能状態になさしめるほか、直方体の上記揺動作動に於ける重なり合い状態の少なくとも片端縁部で止着手段を設けて固定させることを特徴とした自在脚立。
【請求項２】
各直方体をへ字状の山型に形成し、その中央部に透孔を穿設することを特徴とした請求項１記載の自在脚立。
【請求項３】
各直方体に穿設した透孔内を挿通するボルト軸を支軸に上下動する把持杆を取付け、該把持杆の先端を直方体の内方から少なくとも片端外方へ一定長に突出させ、該突出部の相互間を締め付け状態に固定することを特徴とした請求項１又は２記載の自在脚立。
【請求項４】
把持杆の形状を方形断面となしたことを特徴とする請求項３記載の自在脚立。
【発明の詳細な説明】
【０００１】
【発明の属する技術分野】
本発明は、脚体を地面の起伏に馴染み易く立設させると共に、安全な使用可能となした自在脚立に関する。
【０００２】
【従来の技術】
対向した一対の縦向き側辺部材とこれら側辺部材の上端部間を結合した上辺部材を備えた平面状の脚体を２つ作成し、これら脚体を左右向き面に沿わせて前後方向で対向させると共に、これら脚体の上部を左右向き軸回りの揺動可能に結合した脚立は存在している。
【０００３】
【発明が解決しようとする課題】
上記した従来の脚立では、これを定置させる地面などの起伏状態によっては、これを迅速且つ安定的に定着させることができず、面倒な思いをすることがある。
また、このようなとき、つい不安定な定着状態のまま使用してしまい、思わぬ事故に遭遇することもある。
本発明はこれを改良するべく先に特願２００１−３１３９９２号を提案した。
【０００４】
【特許文献１】
特願２００１−３１３９９２号
【０００５】
【課題を解決するための手段】
本発明は上記出願の更なる改良提案であって、その特徴とするところは、対向した一対の縦向き側辺部材と、これら側辺部材の上端部間を結合した上辺部材とを備えた平面状の脚体を２つ作成し、これら脚体を左右向き面に沿わせて前後方向で対向させた脚立に於いて、各脚体の上辺部材を細長の直方体に形成し、且つ各直方体の中央部に透孔を穿設すると共に、該透孔に片側からボルトを挿通させ、これを他側から少しゆとり状態にナットで止着し、各直方体が左右向き線回り及び前後向き線回りの揺動可能状態になさしめるほか、直方体の上記揺動作動に於ける重なり合い状態の少なくとも片端縁部で止着手段を設けて固定させることにある。
【０００６】
このさい、細長の各直方体はへ字状の山型に形成し、その山型の中央部にボルト通しの透孔を穿設したり、また透孔を挿通させたボルト軸を支軸にして上下動する把持杆を取付け、該把持杆の先端を直方体の内方から少なくとも片端外方へ一定長に突出させ、該突出部の相互を締め付け状態に固定するのであり、また上記把持杆の断面形状を方形断面のものとなすことにより、上記相互の締め付け固定が安定的に且つ強固に行われるようにする。
【０００７】
【発明の実施の形態】
図１は本発明で使用する脚体の斜視図であって、１Ａ及び１Ｂは何れも平面状の脚体であり、各脚体１Ａ、１Ｂは前後方向ｆ１で対向した一対の縦向き側辺部材２，２と、これら側辺部材２，２の上端部間を結合した細長の直方体３とからなり、側辺部材２，２の長手方向の数箇所を平行な横向き部材４で結合したものとなされている。
【０００８】
本発明に於いて、上記脚体と直方体との結合箇所は溶接手段５により一体化結合させることができるが、他の１つはボルトとナットの締結手段６により結合するようになしてある。具体的には直方体３の片側片３ａに対しボルト挿入孔ｇを穿設したブラケット７，７を取付けると共に、側辺部材２，２の上端に対し上記ブラケット７，７に穿設したボルト挿入孔ｇと対応一致する透孔を穿設し、その外方からボルト６ａを挿通させ、あとブラケット７，７の反対側内方からナット６ｂをボルト６ａ先端へ螺合させて締め付けることにより固定止着させるのであり、必要に応じてその締付けを解除したり、締め付けたりすることにより側辺部材２，２と直方体３との止着関係位置が変えられるようになっている。これは後述する使用時に於ける地面上の凹凸や傾斜に対し、その開き角度を適宜異ならしめて安定的な据え付け状態が得られるようにするためである。
【０００９】
而して、上記の各脚体は直方体３，３の中央箇所で連結されるようになされるのであり、即ち直方体３，３の各中央箇所に透孔８，８を穿設し、その片側からボルト９を挿通させると共に、該ボルト先端を他側からナット１０で直方体３，３間に適当なゆとり間隙がある状態に止着されるものとする。
ところで、上記のボルトとナットによる止着にさいし、本発明ではボルト９を使用して図２に示す如き把持杆１１，１１を各直方体３，３の空洞ｋ，ｋ内へ取付けられるようになすのである。具体的には各把持杆１１，１１の片端は共に上記ボルト９を挿通可能にする透孔１１ａを穿設するが、他端は１つが次述する締め付けネジを挿通させる透孔１１ｂを、他の１つは該締め付けネジと螺合する雌ネジ孔１１ｂ’を設けた構成となし、上記ボルト９の取付け時に夫々れ直方体３，３の空洞ｋ中へこれら把持杆１１，１１を挿入して取付け、その取付け状態で各杆の透孔１１ｂや雌ネジ孔１１ｂ’が直方体３，３の外方へ一定寸法突出されるものとなすのであり、而してこの突出状態で透孔１１ｂの外方から他の雌ネジ孔１１ｂ’に向かって締め付けネジ１２を螺入させるようになす。このさい、締め付けネジ１２は頭部に透孔１２ａを設けて一定長のレバー１２ｂが抜け出ないように取付けてあり、該レバー１２ｂを時計方向或いは反時計方向へ回動させることにより把持杆１１，１１が相互に接近したり、離反したりするのであり、この時直方体３，３の対向壁面が把持杆１１，１１間で強固に挟み付け状態に固定されたり、離反したりするようになされる。（図４参照）
【００１０】
図３は踏み板１３であって、上記に於ける脚立構成後の直方体上面へ取付けるようになすためのものであり、巾寸法ｍを凡そ１０ｃｍ、長さ寸法ｎを凡そ４５ｃｍとなさした孔あき板体１３ａと、この両端付近を裏面側から支持する一対の支持体１３ｂ，１３ｂとからなり、各支持体１３ｂ，１３ｂには次述するボルトネジ１４の挿入されるスリットが穿設されてあり、これを上記直方体３の１つの外部側面に対しボルトネジ１４で脱着自在に取付けられるようにするのである。
【００１１】
図４は上記の組立てられた本発明に係る自在脚立の全体図であって、図中１５は脚体１Ａ，１Ｂ間の間隔規制部材であり、両脚体の横向き部材４へ回動自在に取付けたアーム部材１５ａ，１５ａが中央でピン結合され、収納時には中央で折り畳み可能となされるのである。
【００１２】
本発明の脚立使用では、上記脚体１Ａ，１Ｂを現場で離反させるように操作するのであり、このとき各脚体１Ａ，１Ｂは夫々れの直方体３，３がボルト９を支軸として、前後や左右揺動自在となされるのであり、従って地面の凹凸或いは多少の傾斜や段差などに影響されない立設を可能にすることができる。
具体的にはボルト９の前後ｓ１或いは左右ｓ２方向線へ一定の許容された揺動変位が可能となるため、適宜手操作を付与して最終的な安定状態が得られるようにするのであり、このときアーム部材１５ａ，１５ｂは下方への少し中折れ状態となされるものとなっている。
【００１３】
而して、上記の安定状態に於いて締付けネジ１２をレバー１２ｂを適宜回動させて締付けることにより、脚体１Ａ，１Ｂ上部の直方体３，３が挟持杆１１，１１を介して締付けられることにより、強固な固定状態となるのであり、且つこのとき脚体１Ａに於ける直方体３との結合箇所に於けるボルト６ａ、ナット６ｂとの締付け状態が緩んでいる時は、固く締付けが行われるようにする。なお、この時踏み板１３の水平保持に問題があるようであれば、ボルトネジ１４を緩めて該ボルトネジ１４と支持体１３に於けるボルトネジ挿入用のスリットとの締め付け位置を適宜異ならしめて調整する。
【００１４】
図５は他の実施例を示すものであって、即ち本例では各直方体が図Ａに示す如く正面視へ字状の山型３’，３’に形成したものが使用されている。而して、へ字状の山型に形成したその中央箇所に対して、透孔８’を穿設し、且つ該透孔８’に対しボルト９を挿通させるのであり、この外は上記例と同一構成である。ところで、本例で山型の直方体３’，３’に形成することは、各直方体を連結するボルト９による支軸が踏み板１３の直ぐ裏面側へ位置するものとなり、且つ各脚体１Ａ，１Ｂが揺動移動されるさいの各直方体３’，３’の外端縁と踏み板１３の裏面部間距離ｋを大ならしめることができるため、各脚体１Ａ，１Ｂの据付けのさい、各脚体１Ａ，１Ｂが比較的大きく傾斜されるようなことがあっても何ら支障を生ぜしめたりすることがないのであり、また踏み板１３上で体重を端部へ移動させて荷重の変化が生じても、前者例の場合では脚体支柱へ向かって多少の曲げ偶力が発生するのに対し、本例では支軸位置が凡そ同一線上に存在することにより、係る曲げ偶力の発生したりすることが防止されて極めて安定した状態が保持されるものとなる。なお、本例に於ける山型の傾斜角度θは凡そ５°〜２０°の範囲となされるのである。
【００１５】
【発明の効果】
本発明は以上の通り構成するのであり、一対の脚体１Ａ，１Ｂ上辺部を細長の直方体に形成し、且つ各直方体の中央部に透孔を穿設すると共に、該透孔の片側からボルトを挿通させ、これを他側から少しゆとり状態にナットで止着し、各直方体が左右向き線回り及び前後向き線回りの揺動可能状態に構成することから、これの使用に当たり床面や地表面などに凹凸や傾斜或いは多少の段差などがあるような場合でも、凡そこれらの何処の箇所であっても殆ど影響されない立脚状態が容易に得られるのであり、またその一部捩れ状態となされた脚体１Ａ，１Ｂを各直方体３，３（３’，３’）が把持杆１１，１１を介して締付けられることにより、強固な不動状態を保持させることができるものとなる。而して、この固定状態では直方体上の踏み板は脚体１Ａ，１Ｂの前後方向ｓ１、或いは左右方向ｓ２の何れの方向にも揺動したりすることがないため、該踏み板上で安全作業の遂行し得るものとなるのである。
【００１６】
請求項２記載の発明によれば、上記に於ける安定度をより一層高めて作業性の向上に寄与することができるものとなる。
請求項３及び４記載の直方体と把持杆によれば、立設させた脚体１Ａ，１Ｂ位置の迅速で且つより適確な固定化に寄与するものとなる。
【図面の簡単な説明】
【図１】本発明で使用する脚体の部品図である。
【図２】把持手段の部品図である。
【図３】踏み板の部品図である。
【図４】組立てられた本発明に係る自在脚立の全体斜視図である。
【図５】他の実施例を示すものである。
【符号の説明】
１Ａ      脚体
１Ｂ      脚体
２        側辺部材
３，３’  直方体
４        横向き部材
６        ホルトナット手段
７        ブラケット
８        透孔
９        ボルト
１０      ナット
１１      把持杆
１２      締付けネジ
１３      踏み板
１４      ボルトネジ
１５      間隔規制部材
【図１】
2004211364.tif 000003
【図２】
2004211364.tif 000004
【図３】
2004211364.tif 000005
【図４】
2004211364.tif 000006
【図５】
2004211364.tif 000007